(57)【特許請求の範囲】
【請求項１】
直交周波数分割多重システムにおけるワイヤレス通信のための方法であって、
隣接セルから信号を受信することと、
中心またはゼロシフトにおいて、ある測定領域に関して前記受信された信号の最小帯域幅を測定することと、
周波数オフセットに基づいて前記信号の前記測定領域をシフトさせることと、
前記シフトさせられた測定領域の前記最小帯域幅を測定することと、
前記信号の前記測定領域を、正の周波数オフセットから負の周波数オフセットへ代替的に回転させることと、
前記回転させられた測定領域の前記最小帯域幅を測定することと、
を備える、方法。
【請求項２】
前記最小帯域幅を決定するための前記測定領域が、ナイキスト周波数（２Ｎ＋１）に基づき、Ｎは周波数シフトの数に対応する、請求項１に記載の方法。
【請求項３】
前記測定領域が、＋ｖｅおよび−ｖｅ周波数オフセットから代替的に回転させられる、請求項１に記載の方法。
【請求項４】
前記隣接セルの帯域幅全体にわたって隣接セル電力を推定すること
をさらに備える、請求項１に記載の方法。
【請求項５】
直交周波数分割多重ワイヤレス通信システムにおけるワイヤレス通信の装置であって、
隣接セルから信号を受信するための手段と、
中心またはゼロシフトにおいて、ある測定領域に関して前記受信された信号の最小帯域幅を測定するための手段と、
周波数オフセットに基づいて前記信号の前記測定領域をシフトさせるための手段と、
前記シフトさせられた測定領域の前記最小帯域幅を測定するための手段と、
前記信号の前記測定領域を、正の周波数オフセットから負の周波数オフセットへ代替的に回転させるための手段と、
前記回転させられた測定領域の前記最小帯域幅を測定するための手段と、
を備える、装置。
【請求項６】
前記最小帯域幅を決定するための前記測定領域が、ナイキスト周波数（２Ｎ＋１）に基づき、Ｎは周波数シフトの数に対応する、請求項５に記載の装置。
【請求項７】
前記測定領域が、＋ｖｅおよび−ｖｅ周波数オフセットから代替的に回転させられる、
請求項５に記載の装置。
【請求項８】
前記隣接セルの帯域幅全体にわたって隣接セル電力を推定するための手段
をさらに備える、請求項５に記載の装置。
【請求項９】
コンピュータに請求項１乃至４のいずれかにしたがって方法を実行させる
ためのコードを備えるコンピュータ読み取り可能な記憶媒体。
【発明の詳細な説明】
【技術分野】
【０００１】
[0001]  本開示の態様は、一般にワイヤレス通信システムに関し、より具体的には、直交周波数分割多重（ＯＦＭＤ）システムにおいて隣接セル（neighboring cells）のために周波数ダイバーシチ利得を活用する装置および方法に関する。
【背景技術】
【０００２】
[0002]  ワイヤレスシステムにおける隣接セル測定は、一般に、基準パイロット（Reference Pilot）（ＲＰ）信号に基づいて実行される。典型的にＯＦＤＭシステムでは、ＲＰ信号はシステムの帯域幅（bandwidth）（ＢＷ）にわたる（span）。しかしながら、ＲＰ信号は、所定の周期性を有する周波数トーンおよびある特定のシンボルにのみ存在する。これはオーバヘッドを低減するだけでなく、時間および周波数ダイバーシチを提供する。
【０００３】
[0003]  一般に、ＯＦＤＭシステムにおけるＢＷ全体にわたっての隣接セル測定（neighboring cell measurements）は、膨大なメモリと著しい高速フーリエ変換（ＦＦＴ）計算リソースを必要とする。ゆえに、隣接のセル測定は典型的に最小ＢＷ（a minimum BW）に制限される。例えば、３ＧＰＰ ＬＴＥシステムでは、最小ＢＷは１．４４Ｍｈｚである。その結果、最小ＢＷへの制限が、ＯＦＭＤシステムの周波数ダイバーシチ利得を低減し、それはまた、ＢＷ全体にわたり測定される、サービングセルと隣接セル測定との比較をバイアスし得る。これは次々に、高周波数選択性チャネル（high frequency selective channel）においてアイドルモードおよび接続モード（connected mode）ハンドオーバ（ＨＯ）に影響を与える。
【０００４】
[0004]  したがって、本発明の態様は、最小ＢＷ測定に必要とされる同じレベルのＦＦＴ処理要件を維持しながら、隣接セル測定の周波数ダイバーシチ利得を改善するための装置および方法を提供する。
【図面の簡単な説明】
【０００５】
【図１】[0005]  図１は、ワイヤレス通信システムにおける呼処理（call processing）の例示的な態様を例示する概略図である。
【図２】[0006]  図２は、ワイヤレス通信システムにおいて受信されたワイヤレス信号のＢＷ測定の機能性および動作を例示する概略図である。
【図３】[0007]  図３は、ワイヤレス通信システムにおけるＢＷ測定の例示的な方法を例示する流れ図である。
【図４】[0008]  図４は、本明細書に説明される機能を実行するための処理システムを用いる装置に関するハードウェア実装の例を例示するブロック図である。
【図５】[0009]  図５は、本明細書に説明される機能を実行するように構成されたＵＥを含む電気通信システムの例を概念的に例示するブロック図である。
【図６】[0010]  図６は、本明細書に説明される機能を実行するように構成されたＵＥと共に使用するためのアクセスネットワークの例を例示する概念図である。
【図７】[0011]  図７は、本明細書に説明される機能を実行するように構成されたＵＥおよび／または基地局のためのユーザおよび制御プレーンに関する無線プロトコルアーキテクチャの例を例示する概念図である。
【図８】[0012]  図８は、本明細書に説明される機能を実行するように構成された、電気通信システムにおいてＵＥと通信するノードＢの例を概念的に例示するブロック図である。
【０００６】
[0013]  付録Ａもまたここに添付され、本明細書の装置および方法の態様の追加的な図および説明を含む。
【発明の詳細な説明】
【０００７】
[0014]  添付の図面に関連して以下に説明する詳細な説明は、様々な構成の説明として意図されているものであり、ここに説明される概念が実施され得る唯一の構成を表すように意図されてはいない。詳細な説明は、様々な概念の徹底した理解を提供するために特定の詳細を含む。しかしながら、これらの概念が、これらの特定の詳細なしに実施され得ることは、当業者に明白であるだろう。ある場合には、周知の構造およびコンポーネントは、そのような概念を曖昧にするのを避けるためにブロック図の形で示される。
【０００８】
[0015]  上述したように、隣接セル測定要求に関連する１つの課題は、そのような測定が、膨大なメモリおよび著しい高速フーリエ変換（ＦＦＴ）計算リソースを必要とすることである。この問題を克服するために、本発明の態様は、最小ＢＷ測定に必要とされる同じレベルのメモリおよびＦＦＴ処理要件を維持しながら、隣接セル測定の周波数ダイバーシチ利得を改善するメカニズムを提供する。
【０００９】
[0016]  したがって、本明細書の装置および方法の態様は、ＯＦＤＭシステムにおける隣接セル測定のために周波数ダイバーシチ利得を活用し、それによってメモリ及び処理リソースをリザーブ（reserve）するように、設計されている。
【００１０】
[0017]  図１は、ネットワーク１２とユーザ装置（ＵＥ）１４との間のワイヤレス通信を含むように構成されたワイヤレス通信システム１０を開示する。このワイヤレス通信システムは、多数のユーザ間の通信をサポートするように構成され得る。図１は、ネットワーク１２がＵＥ１４と通信する方法を例示する。ワイヤレス通信システム１０は、ネットワーク１２とＵＥ１４との間の上向き／下向き矢印によって表されている、ダウンリンクメッセージ送信またはアップリンクメッセージ送信のために構成されることができる。
【００１１】
[0018]  ある態様では、ＵＥ１４の中に呼処理コンポーネント４０が存在する。呼処理コンポーネント４０は、とりわけ、ネットワーク１２からの信号から信号を受信することができる受信（ＲＸ）コンポーネント４２を含むように構成され得る。呼処理コンポーネント４０はまた、ある特定の測定領域に関して受信された信号の最小帯域幅（a minimum bandwidth）を測定するためのＢＷ測定コンポーネント４２を含むように構成され得る。適切なサンプリングのために必要な最小ＢＷを決定するための測定領域は、ナイキスト周波数（Nyquist frequency）（２Ｎ＋１）に基づく。
【００１２】
[0019]  さらに、ＢＷ測定コンポーネント４２はまた、隣接セルの最小ＢＷサンプリングに関して図２で説明されることになるシフトコンポーネント（shifting component）４６および回転コンポーネント（rotating component）４８を含むようにも構成され得る。
【００１３】
[0020]  したがって、本明細書の装置および方法は、ＯＦＤＭシステムにおける隣接セル測定の間、メモリ及び処理リソースをリザーブするように構成されるＵＥベースの呼処理コンポーネント４０を含む。
【００１４】
[0021]  図２は、呼処理コンポーネント（図１）に存在するＢＷ測定コンポーネント４２の機能性および動作をさらに例示する概略図である。前述したように、ＢＷ測定コンポーネント４２は、ある特定の測定領域に関して受信された信号の最小帯域幅を測定する。具体的には、ＢＷ測定コンポーネント４２は、シフトコンポーネント４６および回転コンポーネント４８に基づいて、受信された信号の最小帯域幅を測定する。
【００１５】
[0022]  シフトコンポーネント４６は、周波数オフセットに基づいて信号の測定領域をシフトさせ（shift）、一方、回転コンポーネント４８は、信号の測定領域を正の周波数オフセットから負の周波数オフセットへ代替的に（alternatively）回転させる（rotate）。言い換えれば、ＵＥが信号を受信したあと、ＢＷ測定コンポーネント４２は、信号の最小帯域幅を測定するが、信号の測定領域を＋ｖｅ、−ｖｅ、およびゼロ周波数オフセット分シフトさせる（shift・・・by a +ve, -ve, and a zero frequency offset）。これは、入力信号（incoming signal）の測定領域を、正の周波数オフセットから負の周波数オフセットへ代替的に回転させる（alternatively rotating the measurement region of the incoming signal from a positive frequency offset to a negative frequency offset）ことによって達成され得る。
【００１６】
[0023]  言い換えれば、ＢＷ測定コンポーネント４２の基本原理は、所与の時間に受信された信号の同じ最小帯域幅を測定し、そして周波数オフセットに基づいて、ＤＣを中心とした測定領域（a ＤＣ centered measurement region）から、＋ｖｅおよび−ｖｅ測定領域（a +ve and -ve measurement region）へ、測定領域をシフトさせる。これは、受信機のフロントエンドモジュールにおいて、受信された信号の入力時間ドメインサンプルを回転させることによって達成される、ということに留意されたい。
【００１７】
[0024]  例えば、全ての測定機会において、適切な正の周波数シフトを選択し、受信された信号のその部分上で最小帯域幅の測定を実行する。その後、最小帯域幅の測定を、受信された信号の負の側（negative side）へ適切な周波数シフト分、シフトさせる（shift ・・・by the appropriate frequency shift to・・・）。この、正から負への回転（rotation from positive to negative）は、適切な位相ランプ（phase ramp）を利用することによって実行される。
【００１８】
[0025]  Ｎ個の異なる＋ｖｅおよび−ｖｅシフトを選択すること、およびナイキスト周期で（by the Nyquist period）受信された信号の測定を巡回させること（cycling）により、隣接セルへのＨＯをバイアスすることが低減されることに留意されたい。
【００１９】
[0026]  図３の信号グラフは、ＢＷ測定コンポーネント４２の機能的な動作の例示的な態様を例示する。ＵＥ１４が、例えばグラフにあるもののような、ある信号を受信すると、ＢＷ測定コンポーネント４２は、中心またはゼロシフトで生じる、この場合には１．４４Ｍｈｚについて、ある特定の領域に関する最小帯域幅の測定を実行する。第１の測定の後に、シフトコンポーネント４６は、最小帯域幅の測定を＋ｖｅシフト分シフトさせ、そしてＢＷ測定コンポーネント４２は、再び１．４４Ｍｈｚに関して、最小帯域幅の測定を実行する。その後、回転コンポーネント４８は次に、ＢＷ測定コンポーネント４２を回転させ、受信された信号の正の側および受信された信号の負の側の両側で、代替的に測定を実行する。前述したように、ＢＷ測定に関するこのメカニズムは、セルのＢＷ全体にわたる隣接セル電力のより正確な推定を提供し、それにより、隣接セルへのＨＯに対するバイアスを防ぐ。
【００２０】
[0027]  図３は、例示的な方法８０を例示する流れ図である。８２において、ＵＥは隣接セルから信号を受信する。中心またはゼロシフトにおいて、ある測定領域に関して受信された信号の最小帯域幅を測定すること（Measuring a minimum bandwidth of the received signal for a measurement region at a center or zero shift）が、８４において起こる。８６において、ＵＥは、周波数オフセットに基づいて信号の測定領域をシフトさせる。最後に、信号の測定領域を、代替的に正の周波数オフセットから負の周波数オフセットへ回転させる（rotating the measurement region of the signal alternatively from a positive frequency offset to a negatively frequency offset）ことが、８８において起こる。ある態様では、例えば、方法を実行するＵＥは、呼処理コンポーネント４０（図１）またはそれのそれぞれのコンポーネントを実行しているＵＥ１４（図１）であり得る。
【００２１】
[0028]  図４は、本明細書に説明される、データの処理および復号を実行するための処理システム１１４を用いる装置１００に関するハードウェア実装の例を例示するブロック図である。この例では、処理システム１１４は、概してバス１０２によって表されるバスアーキテクチャを用いて実現され得る。バス１０２は、処理システム１１４の特定の用途および全体的な設計制約に応じて、任意の数の相互接続バスおよびブリッジを含み得る。バス１０２は、概してプロセッサ１０４により表される１つ以上のプロセッサ、および概してコンピュータ読み取り可能な媒体１０６により表される複数のコンピュータ読み取り可能な媒体を含む様々な回路を共につなぐ（link together）。バス１０２はまた、タイミングソース、周辺機器、電圧レギュレータ、および電力管理回路のような、様々な他の回路もつなぎ得るが、これらは、当該技術で周知であるため、これ以上説明されることはない。バスインタフェース１０８は、バス１０２とトランシーバ１１０との間のインタフェースを提供する。トランシーバ１１０は、伝送媒体を介して他の様々な装置と通信するための手段を提供する。装置の性質に応じて、ユーザインタフェース１１２（例えば、キーパッド、ディスプレイ、スピーカー、マイクロフォン、ジョイスティック）もまた提供され得る。
【００２２】
[0029]  プロセッサ１０４は、コンピュータ読み取り可能な媒体１０６に記憶されたソフトウェアの実行を含む一般的な処理およびバス１０２の管理を担当する。ソフトウェアは、プロセッサ１０４によって実行されると、処理システム１１４に、任意の特定の装置に関して以下に説明される様々な機能を実行させる。コンピュータ読み取り可能な媒体１０６はまた、ソフトウェアを実行する際にプロセッサ１０４によって操作されるデータを記憶するために使用され得る。
【００２３】
[0030]  ある態様では、プロセッサ１０４、コンピュータ読み取り可能な媒体１０６、または両方の組み合わせは、本明細書に説明される呼処理コンポーネント４０（図１）の機能を実行するように構成され得る、または別の方法では、そのように特にプログラムされ得る。
【００２４】
[0031]  本開示の全体にわたって提示される様々な概念は、多種多様な電気通信システム、ネットワークアーキテクチャ、通信規格にわたって実現され得る。
【００２５】
[0032]  図５を参照すると、限定ではなく例として、本開示の態様は、Ｗ−ＣＤＭＡエアインタフェースを用いるＵＭＴＳシステム２００に関連して提示される。ＵＭＴＳネットワークは、３つの相互作用するドメイン、すなわち、コアネットワーク（ＣＮ）２０４、ＵＭＴＳ地上無線アクセスネットワーク（ＵＴＲＡＮ）２０２、およびユーザ装置（ＵＥ）２１０を含む。ＵＥ２１０は、例えば、上述した呼処理コンポーネント４０（図１）を含むように構成され得る。この例では、ＵＴＲＡＮ２０２は、電話、ビデオ、データ、メッセージング、ブロードキャスト、および／または他のサービス含む様々なワイヤレスサービスを提供する。ＵＴＲＡＮ２０２は、無線ネットワークコントローラ（ＲＮＣ：Radio Network Controller）２０６等のそれぞれのＲＮＣによって各々が制御される、無線ネットワークサブシステム（ＲＮＳ：Radio Network Subsystems）２０７等の複数のＲＮＳを含み得る。ここで、ＵＴＲＡＮ２０２は、ここに例示されたＲＮＣ２０６およびＲＮＳ２０７に加えて、いくつでもＲＮＣ２０６およびＲＮＳ２０７を含み得る。ＲＮＣ２０６は、とりわけ、ＲＮＳ２０７内で無線リソースを割り当てること、再構成すること、割り当て解除（release）することを担当する装置である。ＲＮＣ２０６は、任意の好適なトランスポートネットワークを使用して、直接物理接続、仮想ネットワークなど、様々なタイプのインタフェースを通してＵＴＲＡＮ２０２中の他のＲＮＣ（図示せず）と相互接続され得る。
【００２６】
[0033]  ＵＥ２１０とノードＢ２０８の間の通信は、物理（ＰＨＹ）レイヤと媒体アクセス制御（ＭＡＣ）レイヤとを含むと見なされ得る。さらに、それぞれのノードＢ２０８を介したＵＥ２１０とＲＮＣ２０６との間の通信は、無線リソース制御（ＲＲＣ：radio resource control）レイヤを含むと見なされ得る。本明細書では、ＰＨＹレイヤはレイヤ１と見なされ得、ＭＡＣレイヤはレイヤ２と見なされ得、ＲＲＣレイヤはレイヤ３と見なされ得る。以下の情報では、参照により本明細書に組み込まれる、ＲＲＣ プロトコル仕様、３ＧＰＰ ＴＳ２５．３３１に紹介されている用語を利用する。
【００２７】
[0034]  ＲＮＳ２０７によってカバーされる地理的領域は、各セルをサービスしている無線トランシーバ装置と共に、いくつかのセルに分割され得る。無線トランシーバ装置は、ＵＭＴＳアプリケーションでは一般にノードＢと呼ばれるが、当業者によって、基地局（ＢＳ）、トランシーバ基地局（ＢＴＳ：base transceiver station）、無線基地局、無線トランシーバ、トランシーバ機能、基本サービスセット（ＢＳＳ：basic service set）、拡張サービスセット（ＥＳＳ：extended service set）、アクセスポイント（ＡＰ）、または何らかの他の好適な用語でも呼ばれ得る。明確さのために、各ＲＮＳ２０７中に３つのノードＢ２０８が示されているが、ＲＮＳ２０７はいくつでもワイヤレスノードＢを含み得る。ノードＢ２０８は、任意の数のモバイル装置に、ＣＮ２０４へのワイヤレスアクセスポイントを提供する。モバイル装置の例には、セルラ電話、スマートフォン、セッション開始プロトコル（ＳＩＰ）電話、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（例えば、ＭＰ３プレーヤ）、カメラ、ゲーム機、または任意の他の同様の機能デバイスがある。モバイル装置は、ＵＭＴＳアプリケーションでは一般にＵＥと呼ばれるが、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の好適な用語でも呼ばれ得る。ＵＭＴＳシステムでは、ＵＥ２１０はさらに、ネットワークへのユーザの加入情報を含む、汎用加入者識別モジュールモジュール（ＵＳＩＭ：universal subscriber identity module）２１１を含み得る。説明のために、いくつかのノードＢ２０８と通信している１つのＵＥ２１０が示される。フォワードリンクとも呼ばれるＤＬは、ノードＢ２０８からＵＥ２１０への通信リンクを指し、リバースリンクとも呼ばれるＵＬは、ＵＥ２１０からノードＢ２０８への通信リンクを指す。
【００２８】
[0035]  ＣＮ２０４は、ＵＴＲＡＮ２０２等の１つ以上のアクセスネットワークとインタフェースをとる（interface with）。示されているように、ＣＮ２０４はＧＳＭ（登録商標）コアネットワークである。しかしながら、当業者なら認識するように、本開示全体にわたって提示された様々な概念は、ＧＳＭネットワーク以外のタイプのＣＮへのアクセスをＵＥに提供するために、ＲＡＮ、または他の好適なアクセスネットワークにおいて実現され得る。
【００２９】
[0036]  ＣＮ２０４は、回線交換（ＣＳ）ドメインとパケット交換（ＰＳ）ドメインとを含む。回線交換要素のいくつかは、モバイルサービス交換センター（ＭＳＣ：Mobile services Switching Centre）、ビジタロケーションレジスタ（ＶＬＲ：Visitor Location Register）、およびゲートウェイＭＳＣである。パケット交換要素は、サービングＧＰＲＳサポートノード（ＳＧＳＮ：Serving ＧＰＲＳ Support Node）と、ゲートウェイＧＰＲＳサポートノード（ＧＧＳＮ：Gateway ＧＰＲＳ Support Node）とを含む。ＥＩＲ、ＨＬＲ、ＶＬＲおよびＡｕＣのようないくつかのネットワーク要素は、回線交換ドメインとパケット交換ドメインの両方によって共有され得る。例示された例では、ＣＮ２０４は、ＭＳＣ２１２およびＧＭＳＣ２１４を用いて、回線交換サービスをサポートする。いくつかのアプリケーションでは、ＧＭＳＣ２１４は、メディアゲートウェイ（ＭＧＷ）と呼ばれ得る。ＲＮＣ２０６等の１つ以上のＲＮＣは、ＭＳＣ２１２に接続され得る。ＭＳＣ２１２は、呼セットアップ、呼ルーティング、およびＵＥモビリティ機能を制御する装置である。ＭＳＣ２１２はまた、ＵＥがＭＳＣ２１２のカバレージエリア内にいる期間中、加入者関連情報を含む、ＶＬＲを含む。ＧＭＳＣ２１４は、ＵＥが回線交換ネットワーク２１６にアクセスするために、ＭＳＣ２１２を介したゲートウェイを提供する。ＧＭＳＣ２１４は、特定のユーザが加入したサービスの詳細を反映するデータ等の加入者データを含んでいるホームロケーションレジスタ（ＨＬＲ：home location register）２１５を含む。また、ＨＬＲは、加入者固有の認証データを含んでいる認証センター（ＡｕＣ：authentication center）に関連する。特定のＵＥのための呼が受信されると、ＧＭＳＣ２１４は、ＨＬＲ２１５に問い合わせてＵＥのロケーションを決定し、そのロケーションをサービスする特定のＭＳＣに呼を転送（forward）する。
【００３０】
[0037]  ＣＮ２０４はまた、サービングＧＰＲＳサポートノード（ＳＧＳＮ）２１８およびゲートウェイＧＰＲＳサポートノード（ＧＧＳＮ）２２０を用いて、パケットデータサービスをサポートする。汎用パケット無線サービス（General Packet Radio Service）を意味するＧＰＲＳは、標準的な回線交換データサービスを用いて利用可能な速度よりも速い速度で、パケットデータサービスを提供するように設計されている。ＧＧＳＮ２２０は、ＵＴＲＡＮ２０２にパケットベースネットワーク２２２への接続を提供する。パケットベースネットワーク２２２は、インターネット、プライベートデータネットワーク、または何らかの他の好適なパケットベースネットワークであり得る。ＧＧＳＮ２２０の主要機能は、ＵＥ２１０にパケットベースネットワーク接続性を提供することである。データパケットは、主に、ＭＳＣ２１２が回線交換ドメインで実行するのと同じ機能をパケットベースドメインで実行するＳＧＳＮ２１８を通してＧＧＳＮ２２０とＵＥ２１０との間で転送され得る。
【００３１】
[0038]  ＵＭＴＳのためのエアインタフェースは、スペクトラム拡散直接シーケンス符号分割多元接続（ＤＳ−ＣＤＭＡ：Direct−Sequence Code Division Multiple Access）システムを利用し得る。スペクトラム拡散ＤＳ−ＣＤＭＡは、チップと呼ばれる擬似ランダムビットのシーケンスによる乗算によって、ユーザデータを拡散する。ＵＭＴＳのための「ワイドバンド」Ｗ−ＣＤＭＡエアインタフェースは、そのような直接シーケンススペクトラム拡散技術に基づいており、さらに周波数分割複信（ＦＤＤ）を必要とする。ＦＤＤは、ノードＢ２０８とＵＥ２１０との間のＵＬとＤＬとについて異なるキャリア周波数を使用する。ＤＳ−ＣＤＭＡを利用し、時分割複信（ＴＤＤ）を使用する、ＵＭＴＳのための別のエアインタフェースは、ＴＤ−ＳＣＤＭＡエアインタフェースである。本明細書で説明する様々な例は、Ｗ−ＣＤＭＡエアインタフェースを参照し得るが、根本的な原理は、ＴＤ−ＳＣＤＭＡエアインタフェースに等しく適用可能であり得ることを、当業者は認識するだろう。
【００３２】
[0039]  ＨＳＰＡエアインタフェースは、より優れたスループットおよび低減された待ち時間を容易にする、３Ｇ／Ｗ−ＣＤＭＡエアインタフェースへの一連の改良を含む。従前のリリースにわたる他の変更よりもとりわけ、ＨＳＰＡは、ハイブリッド自動再送要求（ＨＡＲＱ：hybrid automatic repeat request）、共有チャネル送信、ならびに適応可能な変調およびコーディングを利用する。ＨＳＰＡを定義する規格は、ＨＳＤＰＡ（高速ダウンリンクパケットアクセス）およびＨＳＵＰＡ（エンハンストアップリンクまたはＥＵＬとも呼ばれる高速アップリンクパケットアクセス）を含む。
【００３３】
[0040]  ＨＳＤＰＡは、それのトランスポートチャネルとして、高速ダウンリンク共有チャネル（ＨＳ−ＤＳＣＨ）を利用する。ＨＳ−ＤＳＣＨは、３つの物理チャネル、すなわち高速物理ダウンリンク共有チャネル（ＨＳ−ＰＤＳＣＨ）、高速共有制御チャネル（ＨＳ−ＳＣＣＨ）、および高速専用物理制御チャネル（ＨＳ−ＤＰＣＣＨ）によって実現される。
【００３４】
[0041]  これらの物理チャネルのうち、ＨＳ−ＤＰＣＣＨは、対応するパケット送信の復号が成功したかどうかを示すためのＨＡＲＱ ＡＣＫ／ＮＡＣＫシグナリングをアップリンク上で運ぶ。つまり、ダウンリンクに関して、ＵＥ２１０は、それがダウンリンクにおけるパケットを正しく復号したかどうかを示すために、ＨＳ−ＤＰＣＣＨを通してノードＢ２０８へフィードバックを提供する。
【００３５】
[0042]  ＨＳ−ＤＰＣＣＨはさらに、ノードＢ２０８が、変調およびコーディングスキーム、ならびにプリコーディング重み選択に関して正しい決定を下すことを支援するために、ＵＥ２１０からのフィードバックシグナリング（feedback signaling）を含み、このフィードバックシグナリングは、ＣＱＩおよびＰＣＩを含む。
【００３６】
[0043]  “ＨＳＰＡ Ｅｖｏｌｖｅｄ”、あるいはＨＳＰＡ＋は、ＭＩＭＯおよび６４−ＱＡＭを含むＨＳＰＡ規格の発展（evolution）であり、それは増加したスループットおよびより高い性能を可能にする。つまり、本開示のある態様では、ノードＢ２０８および／またはＵＥ２１０は、ＭＩＭＯ技術をサポートしている複数のアンテナを有し得る。ＭＩＭＯ技術の使用により、ノードＢ２０８は、空間ドメインを活用して、空間多重化、ビームフォーミング、および送信ダイバーシチをサポートすることが可能になる。
【００３７】
[0044]  多入力多出力（ＭＩＭＯ）は、一般にマルチアンテナ技術、つまり、多重送信アンテナ（multiple transmit antennas）（チャネルへの多重入力（multiple inputs））および多重受信アンテナ（チャネルからの多重出力）を指すために使用される用語である。ＭＩＭＯシステムは一般に、データ送信性能を改良し、それによって、ダイバーシチ利得がマルチパスフェージングを低減することおよび伝送品質を増加させること、ならびに、空間多重化利得がデータスループットを増加させることを可能にする。
【００３８】
[0045]  空間多重化（spatial multiplexing）は、異なるデータストリームを同一の周波数で同時に送信するために使用され得る。データストリームは、データレートを増加させるために単一のＵＥ２１０に、または、全体的なシステム容量を増加させるために複数のＵＥ２１０に、送信され得る。これは、各データストリームを空間的にプリコーディングすること、そして空間的にプリコーディングされた各ストリームを、異なる送信アンテナを介してダウンリンクで送信することによって達成される。空間的にプリコーディングされたデータストリームは、異なる空間シグネチャとともにＵＥ２１０（１つまたは複数）へと到達し、これにより、ＵＥ２１０（１つまたは複数）の各々がそのＵＥ２１０を宛先とする１つ以上のデータストリームを復元（recover）することが可能になる。アップリンクでは、各ＵＥ２１０は、空間的にプリコーディングされた１つ以上のデータストリームを送信し得、これにより、ノードＢ２０８が空間的にプリコーディングされた各データストリームのソースを識別することが可能になる。
【００３９】
[0046]  空間多重化は、チャネル状態（channel conditions）が良好な場合に使用され得る。チャネル状態がより好ましくないとき、ビームフォーミングは、１つ以上の方向に送信エネルギを集中させるために、またはチャネルの特性に基づいて送信を改善するために、使用され得る。これは、多重アンテナを通した送信のためのデータストリームを、空間的にプリコーディングすることによって達成され得る。セルの端において優れたカバレッジを達成するために、シングルストリームビームフォーミング送信が、送信ダイバーシチと組み合わせて使用され得る。
【００４０】
[0047]  一般に、ｎ個の送信アンテナを利用するＭＩＭＯに関して、ｎ個のトランスポートブロックが、同じチャネライゼーションコードを利用して同じキャリアで同時に送信され得る。ｎ個の送信アンテナを介して送信される異なるトランスポートブロックは、互いに同じまたは異なる変調およびコーディングスキームを有し得ることに留意されたい。
【００４１】
[0048]  一方、シングル入力マルチ出力（ＳＩＭＯ）は、一般に、単一の送信アンテナ（チャネルへの単一入力）および多重受信アンテナ（チャネルからの多重出力）を利用するシステムを指す。従って、ＳＩＭＯシステムでは、単一のトランスポートブロックがそれぞれのキャリアを介して送られる。
【００４２】
[0049]  図６を参照すると、ＵＴＲＡＮアーキテクチャにおけるアクセスネットワーク３００が例示される。多元接続ワイヤレス通信システムは、それぞれが１つ以上のセクタを含み得るセル３０２、３０４および３０６を含む複数のセルラ領域（セル）を含む。複数のセクタは、各アンテナがセルの一部内のＵＥと通信する役割を担う、アンテナのグループによって形成されることができる。例えば、セル３０２では、アンテナのグループ３１２、３１４、および３１６は各々、異なるセクタに対応し得る。セル３０４では、アンテナのグループ３１８、３２０、および３２２は各々、異なるセクタに対応する。セル３０６では、アンテナのグループ３２４、３２６、および３２８は各々、異なるセクタに対応する。セル３０２、３０４および３０６は、いくつかの無線通信デバイス、例えば、各セル３０２、３０４または３０６の１つ以上のセクタと通信中であり得るユーザ装置またはＵＥを含み得る。たとえば、ＵＥ３３０および３３２は、ノードＢ３４２と通信中であり得、ＵＥ３３４および３３６は、ノードＢ３４４と通信中であり得、ＵＥ３３８および３４０は、ノードＢ３４６と通信中であることができる。ここで、ノードＢ３４２、３４４、３４６の各々は、それぞれのセル３０２、３０４および３０６内の全てのＵＥ３３０、３３２、３３４、３３６、３３８、３４０に、ＣＮ２０４（図２を参照）へのアクセスポイントを提供するように構成されている。ノードＢ３４２、３４４、３４６およびＵＥ３３０、３３２、３３４、３３６、３３８、３４０はそれぞれ、例えば、上述した呼処理コンポーネント４０（図１）を含むように構成され得る。
【００４３】
[0050]  ＵＥ３３４が、セル３０４の例示されたロケーションからセル３０６へ移動する際、サービングセル変更（a serving cell change）（ＳＣＣ）またはハンドオーバが生じ得、ＵＥ３３４との通信が、ソースセルと呼ばれ得るセル３０４からターゲットセルと呼ばれるセル３０６へ遷移する。ハンドオーバプロシージャの管理は、ＵＥ３３４において、それぞれのセルに対応するノードＢにおいて、無線ネットワークコントローラ２０６（図２を参照）において、またはワイヤレスネットワークにおける別の好適なノードにおいて、行われ得る。例えば、ソースセル３０４との呼の間に、または任意の他の時間に、ＵＥ３３４は、ソースセル３０４の様々なパラメータ、ならびにセル３０６および３０２のような隣接セルの様々なパラメータをモニタし得る。さらに、これらのパラメータの品質に応じて、ＵＥ３３４は、隣接セルの１つ以上との通信を維持し得る。この時間の間、ＵＥ３３４は、アクティブセット、つまり、ＵＥ３３４が同時に接続されているセルのリストを維持し得る（すなわち、ダウンリンク個別物理チャネルＤＰＣＨまたはフラクショナルダウンリンク個別物理チャネル（Ｆ−ＤＰＣＨ：fractional downlink dedicated physical channel）をＵＥ３３４に現在割り当てているＵＴＲＡセルが、アクティブセットを構成し得る）。
【００４４】
[0051]  アクセスネットワーク３００によって用いられる変調および多元接続スキームは、展開されている特定の電気通信規格に応じて異なり得る。例として、この規格は、エボリューション・データ・オプティマイズド（Evolution−Data Optimized）（ＥＶ−ＤＯ）またはウルトラ・モバイル・ブロードバンド（ＵＭＢ：Ultra Mobile Broadband）を含み得る。ＥＶ−ＤＯおよびＵＭＢは、ＣＤＭＡ２０００規格ファミリの一部として、３世代パートナーシッププロジェクト２（３ＧＰＰ２）によって公表されたエアインタフェース規格であり、モバイル局にブロードバンドインターネットアクセスを提供するためにＣＤＭＡを用いる。この規格は、代替的に、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いる移動通信のためのグローバルシステム（ＧＳＭ（登録商標））、ＯＦＤＭＡを用いる、発展型ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、およびフラッシュ−ＯＦＤＭであり得る。ＵＴＲＡ、Ｅ−ＵＴＲＡ、ＵＭＴＳ、ＬＴＥ、ＬＴＥ Ａｄｖａｎｃｅｄ、およびＧＳＭは、３ＧＰＰ団体からの文書に説明されている。ＣＤＭＡ２０００およびＵＭＢは、３ＧＰＰ２団体からの文書に説明されている。用いられる実際のワイヤレス通信規格および多元接続技術は、特定の用途、およびシステムに課された全体的な設計制約に依存することになる。
【００４５】
[0052]  無線プロトコルアーキテクチャは、特定の用途に応じて様々な形をとり得る。次に、ＨＳＰＡシステムに関する例が、図７に関連して提示される。
【００４６】
[0053]  図７は、ユーザ装置（ＵＥ）またはノードＢ／基地局のユーザプレーン４０２と制御プレーン４０４に関する無線プロトコルアーキテクチャ４００の例を例示する概念図である。例えば、アーキテクチャ４００は、ワイヤレスネットワーク１２および／またはＵＥ１４（図１）内のエンティティ等のネットワークエンティティおよび／またはＵＥに含まれ得る。ＵＥおよびノードＢに関する無線プロトコルアーキテクチャ４００は、レイヤ１ ４０６、レイヤ２ ４０８およびレイヤ３ ４１０の３つのレイヤで示される。レイヤ１ ４０６は、最下位のレイヤであり、様々な物理レイヤ信号処理機能を実現する。よって、レイヤ１ ４０６は、物理レイヤ４０７を含む。レイヤ２（Ｌ２レイヤ）４０８は、物理レイヤ４０７よりも上位であり、物理レイヤ４０７を介したＵＥとノードＢとの間のリンクを担当する。レイヤ３（Ｌ３レイヤ）４１０は、無線リソース制御（ＲＲＣ）サブレイヤ４１５を含む。ＲＲＣサブレイヤ４１５は、ＵＥとＵＴＲＡＮとの間のレイヤ３の制御プレーンシグナリングを処理する（handle）。
【００４７】
[0054]  ユーザプレーンでは、Ｌ２レイヤ４０８は、ネットワーク側のノードＢで終端される（terminated）、媒体アクセス制御（ＭＡＣ）サブレイヤ４０９、無線リンク制御（ＲＬＣ）サブレイヤ４１１、パケットデータコンバージェンスプロトコル（ＰＤＣＰ：packet data convergence protocol）４１３サブレイヤを含む。示されていないが、ＵＥは、ネットワーク側のＰＤＮゲートウェイで終端するネットワークレイヤ（例えば、ＩＰレイヤ）や、接続の他端（例えば、遠端のＵＥ、サーバ、等）で終端するアプリケーションレイヤを含む、Ｌ２レイヤ４０８よりも上位のいくつかの上位レイヤを有し得る。
【００４８】
[0055]  ＰＤＣＰサブレイヤ４１３は、異なる無線ベアラと論理チャネルとの間の多重化を提供する。ＰＤＣＰサブレイヤ４１３はまた、無線送信オーバヘッドを低減させるために上位レイヤのデータパケットのヘッダ圧縮を提供し、それらのデータパケットを暗号化することによってセキュリティを提供し、複数のノードＢ間でのＵＥのハンドオーバのサポートを提供する。ＲＬＣサブレイヤ４１１は、上位レイヤのデータパケットのセグメンテーションおよびリアセンブリ（reassembly）と、紛失データパケットの再送信と、ハイブリッド自動再送要求（ＨＡＲＱ）による、順序の狂った受信を補正するデータパケットの並べ替え（reordering）とを提供する。ＭＡＣサブレイヤ４０９は、論理チャネルとトランスポートチャネルとの間の多重化を提供する。ＭＡＣサブレイヤ４０９はまた、複数のＵＥ間での、１つのセル内の様々な無線リソース（例えば、リソースブロック）の割り当てを担当する。ＭＡＣサブレイヤ４０９はまた、ＨＡＲＱオペレーション（HARQ operation）を担当する。
【００４９】
[0056]  図８は、ＵＥ５５０と通信するノードＢ５１０を含む通信システム５００のブロック図であり、この場合、図１に記載の態様によれば、ノードＢ５１０がワイヤレスネットワーク１２内のエンティティであり得、ＵＥ５５０がＵＥ１４であり得る。ダウンリンク通信では、送信プロセッサ５２０が、データソース５１２からのデータと、コントローラ／プロセッサ５４０からの制御信号とを受信し得る。送信プロセッサ５２０は、データおよび制御信号、ならびに基準信号（例えば、パイロット信号）に関する様々な信号処理機能を提供する。例えば、送信プロセッサ５２０は、誤り検出のための巡回冗長検査（ＣＲＣ：cyclic redundancy check）コード、前方向誤り訂正（ＦＥＣ）を容易にするためのコーディングおよびインタリーブ、様々な変調スキーム（例えば、２相位相シフトキーイング（ＢＰＳＫ）、４相位相シフトキーイング（ＱＰＳＫ）、Ｍ相位相シフトキーイング（Ｍ−ＰＳＫ：M−phase−shift keying）、Ｍ値直交振幅変調（Ｍ−ＱＡＭ：M−quadrature amplitude modulation）等）に基づく信号コンスタレーションへのマッピング、直交可変拡散ファクタ（ＯＶＳＦ：orthogonal variable spreading factors）による拡散、一連のシンボルを生成するためのスクランブリングコードとの乗算（multiplying with・・）とを、提供し得る。送信プロセッサ５２０のためのコーディング、変調、拡散、および／またはスクランブリングスキームを決定するために、コントローラ/プロセッサ５４０によって、チャネルプロセッサ５４４からのチャネル推定が使用され得る。これらのチャネル推定は、ＵＥ５５０によって送信された基準信号から、またはＵＥ５５０からのフィードバックから導出され得る。送信プロセッサ５２０によって生成されたシンボルは、フレーム構造を作り出すために送信フレームプロセッサ５３０へ提供される。送信フレームプロセッサ５３０は、シンボルをコントローラ／プロセッサ５４０からの情報で多重化する（multiplexing the symbols with information・・）ことによって、このフレーム構造を作り出し、これにより一連のフレームが得られる。このフレームは次に、増幅、フィルタリング、およびアンテナ５３４を通してのワイヤレス媒体を介したダウンリンク送信のためのキャリア上へのフレームの変調を含む、様々な信号調整機能（signal conditioning functions）を提供する送信機５３２へ提供される。アンテナ５３４は、例えば、ビームステアリング双方向適応アンテナアレイ（beam steering bidirectional adaptive antenna array）または他の同様のビーム技術を含む、１つ以上のアンテナを含み得る。
【００５０】
[0057]  ＵＥ５５０において、受信機５５４は、アンテナ５５２を通してダウンリンク送信を受信し、その送信を処理して、キャリア上へ変調された情報を復元する。受信機５５４によって復元された情報は、受信フレームプロセッサ５６０へ提供され、それは、各フレームを解析（parse）し、フレームからの情報をチャネルプロセッサ５９４へ提供し、データ、制御、および基準信号を受信プロセッサ５７０へ提供する。受信プロセッサ５７０は次に、ノードＢ５１０中の送信プロセッサ５２０によって実行された処理の逆を実行する。より具体的には、受信プロセッサ５７０は、シンボルを逆スクランブルおよび逆拡散し、そして変調スキームに基づいて、ノードＢ５１０によって送信された、最も可能性の高い信号コンスタレーションポイント（signal constellation point）を決定する。これらの軟判定（soft decision）は、チャネルプロセッサ５９４によって計算されたチャネル推定値に基づき得る。そして軟判定は、データ、制御、および基準信号を復元するために、復号およびディインタリーブ（deinterleaved）される。次に、フレームの復号が成功したかどうか決定するために、ＣＲＣコードが確認される。次に、復号に成功したフレームによって搬送されたデータが、データシンク５７２に提供されることになり、これは、様々なユーザインタフェース（例えば、ディスプレイ）および／またはＵＥ５５０上で走行するアプリケーションを表す。復号に成功したフレームによって搬送された制御信号は、コントローラ／プロセッサ５９０へ提供されることになる。受信機プロセッサ５７０によるフレームの復号が失敗すると、コントローラ／プロセッサ５９０はまた、それらのフレームの再送要求をサポートするために、肯定応答（ＡＣＫ）および／または否定応答（ＮＡＣＫ）プロトコルを使用し得る。
【００５１】
[0058]  アップリンクにおいて、データソース５７８からのデータおよびコントローラ／プロセッサ５９０からの制御信号が、送信プロセッサ５８０へ提供される。データソース５７８は、様々なユーザインタフェース（例えば、キーボード）およびＵＥ５５０で行するアプリケーションを表し得る。ノードＢ５１０によるダウンリンク送信に関連して説明された機能と同様に、送信プロセッサ５８０は、ＣＲＣコード、ＦＥＣを容易にするためのコーディングおよびインタリーブ、信号コンスタレーションへのマッピング、ＯＶＳＦを用いた拡散、および一連のシンボルを生成するためのスクランブリングを含む、様々な信号処理機能を提供する。チャネルプロセッサ５９４によって、ノードＢ５１０により送信された基準信号から、またはノードＢ５１０により送信されたミッドアンブル（midamble）に含まれるフィードバックから導出されたチャネル推定は、適切なコーディング、変調、拡散、および／またはスクランブリングスキームを選択するために使用され得る。送信プロセッサ５８０によって生成されたシンボルは、フレーム構造を作り出すために送信フレームプロセッサ５８２へ提供される。送信フレームプロセッサ５８２は、シンボルをコントローラ／プロセッサ５９０からの情報で多重化することによって、このフレーム構造を作り出し、これにより一連のフレームが得られる。このフレームは次に、増幅、フィルタリング、およびアンテナ５５２を通してのワイヤレス媒体を介したアップリンク送信のためのキャリア上へのフレームの変調を含む、様々な信号調整機能を提供する送信機５５６へ提供される。
【００５２】
[0059]  アップリンク送信は、ＵＥ５５０における受信機機能に関して説明した方法と同様の方法でノードＢ５１０において処理される。受信機５３５は、アンテナ５３４を通してアップリンク送信を受信し、その送信を処理して、キャリア上へ変調された情報を復元する。受信機５３５によって復元された情報は、受信フレームプロセッサ５３６へ提供され、それは、各フレームを解析し、フレームからの情報をチャネルプロセッサ５４４へ提供し、データ、制御、および基準信号を受信プロセッサ５３８へ提供する。受信プロセッサ５３８は、ＵＥ５５０中の送信プロセッサ５８０によって実行された処理の逆を実行する。復号に成功したフレームによって搬送されたデータおよび制御信号は、次に、データシンク５３９およびコントローラ／プロセッサへそれぞれ提供され得る。受信プロセッサによるいくつかのフレームの復号が失敗すると、コントローラ／プロセッサ５４０はまた、それらのフレームの再送要求をサポートするために、肯定応答（ＡＣＫ）および／または否定応答（ＮＡＣＫ）プロトコルを使用し得る。
【００５３】
[0060]  コントローラ／プロセッサ５４０および５９０は、それぞれノードＢ５１０およびＵＥ５５０における動作を指示するために使用され得る。例えば、コントローラ／プロセッサ５４０および５９０は、タイミング、周辺インタフェース、電圧調整、電力管理、および他の制御機能を含む、様々な機能を提供し得る。メモリ５４２および５９２のコンピュータ読み取り可能な媒体は、それぞれ、ノードＢ５１０およびＵＥ５５０に関するデータおよびソフトウェアを記憶し得る。ノードＢ５１０におけるスケジューラ／プロセッサ５４６は、ＵＥにリソースを割り振り、ＵＥに関するダウンリンクおよび／またはアップリンク送信をスケジューリングするために使用され得る。
【００５４】
[0061]  電気通信システムのいくつかの態様は、Ｗ−ＣＤＭＡシステムを参照して提示された。当業者は、本開示の全体に渡って説明された様々な態様は、他の電気通信システム、ネットワークアーキテクチャおよび通信規格に拡張され得ることを、明確に理解するだろう。
【００５５】
[0062]  例として、様々な態様は、ＴＤ−ＳＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ+）およびＴＤ−ＣＤＭＡのような、他のＵＭＴＳシステムに拡張され得る。様々な態様はまた、ロング・ターム・エボリューション（ＬＴＥ）（ＦＤＤ、ＴＤＤ、または両方のモードにおける）、ＬＴＥアドバンスト（LTE−Advanced）（ＬＴＥ−Ａ）（ＦＤＤ、ＴＤＤ、または両方のモードにおける）、ＣＤＭＡ２０００、エボリューション・データ・オプティマイズド（Evolution−Data Optimized）（ＥＶ−ＤＯ）、ウルトラ・モバイル・ブロードバンド（Ultra Mobile Broadband）（ＵＭＢ）、ＩＥＥＥ ８０２.１１（Ｗｉ−Ｆｉ）、ＩＥＥＥ ８０２.１６（ＷｉＭＡＸ）、ＩＥＥＥ ８０２.２０、ウルトラ・ワイドバンド（Ultra−Wideband）（ＵＷＢ）、Ｂｌｕｅｔｏｏｔｈ（登録商標）、および／または他の好適なシステムを用いるシステムに拡張され得る。用いられる実際の電気通信規格、ネットワークアーキテクチャ、および／または通信規格は、特定の用途、およびシステムに課された全体的な設計制約に依存するだろう。
【００５６】
[0063]  本開示の様々な態様に従って、エレメント、またはエレメントの任意の一部、またはエレメントの任意の組み合わせは、１つ以上のプロセッサを含む「処理システム」を用いて実現され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体にわたって説明された様々な機能を実行するように構成された他の好適なハードウェアがある。処理システムにおける１つ以上のプロセッサは、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されるべきである。ソフトウェアは、コンピュータ読み取り可能な媒体に存在し得る。コンピュータ読み取り可能な媒体は、非一時的なコンピュータ読み取り可能な媒体であり得る。非一時的なコンピュータ読み取り可能な媒体は、例として、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ）、レジスタ、リムーバブルディスク、およびコンピュータによってアクセスされ得るおよび読み取られ得るソフトウェアおよび／または命令を記憶するための任意の他の好適な媒体を含む。コンピュータ読み取り可能な媒体はまた、例として、搬送波、伝送回線、およびコンピュータによってアクセスされ得るおよび読み取られ得るソフトウェアおよび／または命令を伝送するための任意の他の好適な媒体を含み得る。コンピュータ読み取り可能な媒体は、処理システム内に存在し得るか、処理システムの外部に存在し得るか、または処理システムを含む複数のエンティティにわたって分散され得る。コンピュータ読み取り可能な媒体は、コンピュータプログラム製品内で具現化され得る。例として、コンピュータプログラム製品は、パッケージング材料内のコンピュータ読み取り可能な媒体を含み得る。当業者は、特定の用途、およびシステム全体に課せられる全体的な設計制約に応じて、本開示の全体にわたって提示されている説明された機能をどのように最良に実現するかを認識するだろう。
【００５７】
[0064]  開示された方法におけるステップの特定の順序または階層は、例示的なプロセスの説明であると理解されるべきである。設計好適性（design preference）に基づいて、この方法におけるステップの特定の順序または階層は並べ替えられ得るということが理解される。付随の方法の請求項は、サンプルの順序で様々なステップのエレメントを提示するものであり、本明細書で明確に記載されていない限り、提示された特定の順序または階層に限定されるように意図されたものではない。
【００５８】
[0065]  先の説明は、当業者に、本明細書に説明された様々な態様を実現することを可能にさせるために提供されている。これらの態様への様々な変更は当業者には容易に明らかになるであろうし、本明細書で定義される一般的な本質は他の態様に適用され得る。したがって、請求項は、本明細書に示される態様に限定されるように意図されたものではなく、請求項の文言と一致する最大範囲であると認められるべきであり、この場合、単数形でのエレメントへの言及は、そのように明確に述べられていない限りは「１つおよび１つのみ」を意味するのではなく、むしろ「１つ以上」を意味するように意図されている。そうでないことが明確に述べられていない限り、「いくつかの」という用語は、１つ以上のことを指している。項目のリストのうちの「少なくとも１つ」に言及するフレーズは、単一のメンバを含む、それらの項目のうちの任意の組み合わせに言及するものである。例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするように意図されている。当業者によって既知のあるいは後に知られることになる、本開示の全体を通して説明された様々な態様のエレメントに対する全ての構造上のおよび機能上の同等物は、参照によりここに明確に組み込まれ、特許請求の範囲によって包含されるように意図されている。さらに、ここで開示したものはいずれも、そのような開示が特許請求の範囲に明示的に記載されているか否かにかかわらず、公に捧げられることを意図するものではない。請求項のエレメントはいずれも、エレメントが「〜のための手段」というフレーズを使用して明確に記載されない限り、または、方法の請求項の場合には、エレメントが「〜のためのステップ」というフレーズを使用して記載されない限り、３５Ｕ.Ｓ.Ｃ.§１１２、第６段落の規定のもとで解釈されるべきではない。
以下に、本願出願の当初の特許請求の範囲に記載された発明を付記する。
［Ｃ１］  ワイヤレス通信のための方法であって、
隣接セルから信号を受信することと、
中心またはゼロシフトにおいて、ある測定領域に関して前記受信された信号の最小帯域幅を測定することと、
周波数オフセットに基づいて前記信号の前記測定領域をシフトさせることと、
前記信号の前記測定領域を、正の周波数オフセットから負の周波数オフセットへ代替的に回転させることと
を備える、方法。
［Ｃ２］  前記最小帯域幅を決定するための前記測定領域が、ナイキスト周波数（２Ｎ＋１）に基づく、Ｃ１に記載の方法。
［Ｃ３］  前記測定領域が、＋ｖｅおよび−ｖｅ周波数オフセットから代替的に回転させられる、Ｃ１に記載の方法。
［Ｃ４］  前記隣接セルの帯域幅全体にわたって前記隣接セル電力を推定すること
をさらに備える、Ｃ１に記載の方法。
［Ｃ５］  ワイヤレス通信ネットワークにおけるワイヤレス通信の装置であって、
隣接セルから信号を受信するための手段と、
中心またはゼロシフトにおいて、ある測定領域に関して前記受信された信号の最小帯域幅を測定するための手段と、
周波数オフセットに基づいて前記信号の前記測定領域をシフトさせるための手段と、
前記信号の前記測定領域を、正の周波数オフセットから負の周波数オフセットへ代替的に回転させるための手段と
を備える、装置。
［Ｃ６］  前記最小帯域幅を決定するための前記測定領域が、ナイキスト周波数（２Ｎ＋１）に基づく、Ｃ５に記載の装置。
［Ｃ７］  前記測定領域が、＋ｖｅおよび−ｖｅ周波数オフセットから代替的に回転させられる、Ｃ５に記載の装置。
［Ｃ８］  前記隣接セルの帯域幅全体にわたって前記隣接セル電力を推定するための手段
をさらに備える、Ｃ５に記載の装置。
［Ｃ９］  コンピュータプログラム製品であって、
隣接セルから信号を受信し、
中心またはゼロシフトにおいて、ある測定領域に関して前記受信された信号の最小帯域幅を測定し、
周波数オフセットに基づいて前記信号の前記測定領域をシフトさせ、
前記信号の前記測定領域を、正の周波数オフセットから負の周波数オフセットへ代替的に回転させる
ためのコードを備えるコンピュータ読み取り可能な媒体
を備える、コンピュータプログラム製品。
［Ｃ１０］  ワイヤレス通信ネットワークにおけるワイヤレス通信の装置であって、
少なくとも１つのプロセッサと、
前記少なくとも１つのプロセッサに結合されたメモリと、を備え、
ここにおいて、前記少なくとも１つのプロセッサは、
隣接セルから信号を受信し、
中心またはゼロシフトにおいて、ある測定領域に関して前記受信された信号の最小帯域幅を測定し、
周波数オフセットに基づいて前記信号の前記測定領域をシフトさせ、
前記信号の前記測定領域を、正の周波数オフセットから負の周波数オフセットへ代替的に回転させる
ように構成される、装置。
［Ｃ１１］  前記最小帯域幅を決定するための前記測定領域が、ナイキスト周波数（２Ｎ＋１）に基づく、Ｃ１０に記載の装置。
［Ｃ１２］  前記測定領域が、＋ｖｅおよび−ｖｅ周波数オフセットから代替的に回転させられる、Ｃ１０に記載の装置。
［Ｃ１３］  前記プロセッサが、前記隣接セルの帯域幅全体にわたって前記隣接セル電力を推定する
ようにさらに構成される、Ｃ１０に記載の装置。
【図１】
0006324960.tif 000002
【図２】
0006324960.tif 000003
【図３】
0006324960.tif 000004
【図４】
0006324960.tif 000005
【図５】
0006324960.tif 000006
【図６】
0006324960.tif 000007
【図７】
0006324960.tif 000008
【図８】
0006324960.tif 000009